(57)【要約】【課題】ユーザーが入力操作キーを操作したことを視覚的に認識しやすくする。【解決手段】携帯電話機１に指示入力又は情報入力を受け付ける少なくとも１つの入力操作キー４を設ける。入力操作キー４の操作によって発光する発光体９を設け、制御部（制御手段）により、入力操作キー４が操作されたときに、その操作に応じて発光体９を制御する。【選択図】図１
2007151005.tif 000002
【特許請求の範囲】
【請求項１】
指示入力又は情報入力を受け付ける少なくとも１つの入力操作キーと、
前記入力操作キーの操作によって発光する発光体と、
前記入力操作キーが操作されたときに、その操作に応じて前記発光体を制御する制御手段とを備えていることを特徴とする携帯通信機器。
【請求項２】
請求項１に記載の携帯通信機器において、
表示画面を備え、
前記発光体は、前記入力操作キーを操作するときの前記表示画面の向きと同じ側に向かって発光するように設置されていることを特徴とする携帯通信機器。
【請求項３】
請求項２に記載の携帯通信機器において、
前記表示画面が設けられた上側本体と、前記入力操作キーが設けられた下側本体と、前記上側本体と下側本体とを折り畳み開閉自在に連結するヒンジ部とを備え、
前記ヒンジ部は、前記下側本体の前記入力操作キーを有する面から膨出した膨出部と、前記上側本体において凹形に形成された凹形部とを備え、前記凹形部の凹部に前記膨出部が嵌り込み、前記凹形部と前記膨出部とが、前記幅方向に延びる軸で回動可能に連結され、
前記膨出部には前記発光体が、前記入力操作キーを操作するときの前記表示画面の向きと同じ側に向かって発光するように設置されていることを特徴とする携帯通信機器。
【請求項４】
請求項２又は３に記載の携帯通信機器において、
前記入力操作キーは、上記上側本体又は下側本体の側面に設けられていることを特徴とする携帯通信機器。
【請求項５】
請求項１乃至４のいずれか１つに記載の携帯通信機器において、
前記制御手段は、前記入力操作キーを操作した状態が所定時間継続したとき、発光状態が変化するように前記発光体を制御するように構成されていることを特徴とする携帯通信機器。
【請求項６】
請求項５に記載の携帯通信機器において、
前記発光体は、発光色の変化により発光状態が変化するように構成されていることを特徴とする携帯通信機器。
【請求項７】
請求項６に記載の携帯通信機器において、
前記発光体は、色の異なる単色の発光素子を組み合わせて構成されていることを特徴とする携帯通信機器。
【請求項８】
請求項６に記載の携帯通信機器において、
前記発光体は、２つ以上の異なる色を発色可能な多色発光素子から構成されていることを特徴とする携帯通信機器。
【請求項９】
請求項５に記載の携帯通信機器において、
前記発光体は、点灯から点滅又は点滅間隔の変化により発光状態が変化するように構成されていることを特徴とする携帯通信機器。
【請求項１０】
請求項５乃至９のいずれか１つに記載の携帯通信機器において、
前記制御手段は、前記入力操作キーの入力操作が開始されたときに第１発光状態に点灯させ、前記入力操作状態が前記所定時間よりも短い予備時間を継続したときに、第２発光状態に変化させ、前記入力操作状態が前記所定時間継続したときに第３発光状態に変化させるように前記発光体を制御するように構成されていることを特徴とする携帯通信機器。
【請求項１１】
請求項１乃至１０のいずれか１つに記載の携帯通信機器において、
前記入力操作キーは、終話処理を行いかつ、前記入力操作キーを前記所定時間操作すると電源断処理を行う終話キーであることを特徴とする携帯通信機器。
【請求項１２】
請求項１１に記載の携帯通信機器において、
前記第１発光状態から第２発光状態への移行時に電源断処理を中断可能に構成されていることを特徴とする携帯通信機器。
【請求項１３】
請求項１乃至１２のいずれか１つに記載の携帯通信機器において、
携帯電話機であることを特徴とする携帯通信機器。
【発明の詳細な説明】
【技術分野】
【０００１】
本発明は、入力操作キーを有する携帯電話機等の携帯通信機器に関する。
【背景技術】
【０００２】
従来より、携帯通信機器には、携帯性を考慮して開発された小型軽量化された本体に、通話開始キー、終話キー、数字キー、各種ファンクションキー等の様々な入力操作キーが設けられている。これらの入力操作キーを操作すると、音を発してユーザーに入力操作キーが操作されたことを知らせることにより、ユーザーの入力操作キーの押し忘れを防止することが行われている。
【０００３】
また、携帯通信機器は、携帯電話用の電波が届く範囲であれば、街中、山中を問わず至る所で使用できる。
【０００４】
一方、通信機器（固定電話）に関し、入力操作キーが操作されたときにその番号を音声により知らせるというものがある（特許文献１参照）。これは、ユーザーの誤ったキー操作によって間違い電話になることを未然に防止せんとする技術である。
【特許文献１】実開昭６０−９０９６０号公報
【発明の開示】
【発明が解決しようとする課題】
【０００５】
しかしながら、前記特許文献１のようなキー操作の確認装置では、次のような問題が発生する。
【０００６】
まず、入力操作キーを操作するたびに確認音が発生する。その音はユーザー以外にも聞こえるが、ユーザー以外にとっては雑音でしかない。特に携帯電話機等の携帯通信機器は、固定電話と違って、人が多く集まる中で使用される場合もあり、確認音の発生は他人の迷惑になりやすい。携帯通信機器を使用する際の周囲の環境によっては、ユーザーは音が聞き取りにくい、又は、聞こえないということが予想され、入力操作キーが操作されたかという確認手段としては確実なものとはいえない。
【０００７】
また、携帯通信機器が小型化することにより、入力操作キーも必然的に小さくなる。そのため、ユーザーはどの入力操作キーを押したかを認識しにくくなっている。１つのキーを押し、そのキーを保持した時間によって複数の操作内容を選択するという手法があるが、どの入力操作キーを押しているかという認識が難しいため、携帯通信機器の操作を難しくしている。
【０００８】
また、入力操作キーを操作すると、その操作した内容が表示画面に表示されるが、老眼が多い高齢者や視力が弱い人には、表示画面に表示されていることが認識しにくいため不便である。
【０００９】
さらに、高齢者は指の感覚が鈍るため、入力操作キーを押しているということが判りにくくなっている。入力操作キーを押したときに発する操作音も、難聴が多い高齢者や聴覚にハンディキャップを持つ人には聞くことができないため不便である。
【００１０】
本発明は斯かる点に鑑みてなされたものであり、その目的とするところは、ユーザーが入力操作キーを操作したことを視覚的に認識しやすくすることにある。
【課題を解決するための手段】
【００１１】
前記目的を達成するために、本発明では、ユーザーが入力操作キーを押していることを視覚的に認識できるように、入力操作キーを押したときに発光する発光体（ＬＥＤ等）を設けた。
【００１２】
具体的には、第１の発明では、指示入力又は情報入力を受け付ける少なくとも１つ以上の入力操作キーと、前記入力操作キーの操作によって発光する発光体と、前記入力操作キーが操作されたときに、その操作に応じて前記発光体を制御する制御手段とを備えることとした。
【００１３】
この構成によれば、入力操作キーを操作すると、携帯通信機器に設けられた発光体が発光する。このことで、ユーザーは自らが入力操作キーを押したことを視覚によって確認でき、操作性が向上する。
【００１４】
第２の発明では、前記携帯通信機器は、表示画面を備え、前記発光体は、前記入力操作キーを操作するときの前記表示画面の向きと同じ側に向かって発光するように設置されている。
【００１５】
この構成によれば、ユーザーは、発光体が発光したことを認識しやすい、すなわち、入力操作キーを操作したことが確認しやすいので、携帯通信機器の操作性が向上する。特に、発光体が、ユーザーが入力操作キーを操作中に手等で隠れず、かつユーザーにとって見えやすい位置に設けられていることが好ましい。また、折り畳み式携帯通信機器においては、発光体は、表示画面が設けられている面だけでなく、通話キーや終話キーといった、複数の入力操作キーが設けられている面に設けてもよい。
【００１６】
第３の発明では、前記表示画面が設けられた上側本体と、前記入力操作キーが設けられた下側本体と、前記上側本体と下側本体とを折り畳み開閉自在に連結するヒンジ部とを備え、
前記ヒンジ部は、前記下側本体の前記入力操作キーを有する面から膨出した膨出部と、前記上側本体において凹形に形成された凹形部とを備え、前記凹形部の凹部に前記膨出部が嵌り込み、前記凹形部と前記膨出部とが、前記幅方向に延びる軸で回動可能に連結され、
前記膨出部には前記発光体が、前記入力操作キーを操作するときの前記表示画面の向きと同じ側に向かって発光するように設置されている
この構成によれば、上側本体は、ヒンジ部側が凹形に形成されているので、携帯通信機器を折り畳んだ状態でも、上側本体の凹形部から膨出部の発光体が設置されている面を外部から見ることができる。このため、携帯通信機器が折り畳まれているか否かにかかわらず、ユーザーは発光体を見ることができる。
【００１７】
第４の発明では、前記入力操作キーは、前記上側本体又は下側本体の側面に設けられている。
【００１８】
この構成によれば、携帯通信機器の上側本体又は下側本体の側面に設けた入力操作キーを操作した場合には、携帯通信機器を閉じた状態でもユーザーが発光体を見ることができるので、携帯通信機器を開くことなく操作キーを操作したことを知ることができる。このことで、操作のたびに携帯通信機器を開き、操作が行われたかを確認する必要がない。
【００１９】
第５の発明では、前記制御手段は、前記入力操作キーを操作した状態が所定時間継続したとき、発光状態が変化するように前記発光体を制御するように構成されている。
【００２０】
この構成によれば、ユーザーは入力操作キーの操作をどれくらいの時間継続したかを視覚によって知ることができ、入力操作キーの操作継続時間によって携帯通信機器の指示内容が変わる場合において誤操作が防止される。
【００２１】
第６の発明では、前記発光体は、発光色の変化により発光状態が変化するように構成されている。
【００２２】
この構成によれば、ユーザーは入力操作キーの操作をどれくらいの時間継続したかを発光色の変化によって知ることができ、入力操作キーの操作継続時間によって携帯通信機器の指示内容が変わる場合において誤操作が防止される。
【００２３】
第７の発明では、前記発光体は、色の異なる単色の発光素子を組み合わせて構成されている。
【００２４】
この構成によれば、入力操作キーの操作の時間継続により、単色の発色素子が交代で発光することにより、ユーザーはどの程度時間継続したかを知ることができ、入力操作キーの操作継続時間によって携帯通信機器の指示内容が変わる場合において誤操作が防止される。
【００２５】
第８の発明では、前記発光体は、２つ以上の異なる色を発色可能な多色発光素子から構成されている。
【００２６】
この構成によれば、入力操作キーの操作の時間継続により、多色発光素子が異なる色を発光することにより、ユーザーはどの程度時間継続したかを知ることができ、入力操作キーの操作継続時間によって携帯通信機器の指示内容が変わる場合において誤操作が防止される。
【００２７】
第９の発明では、前記発光体は、点灯から点滅又は点滅間隔の変化により発光状態が変化するように構成されている。
【００２８】
この構成によれば、入力操作キーの操作の時間継続により、発光体が点滅したり、点滅間隔を変化させることにより、ユーザーは入力操作キーの操作からどの程度の時間が継続したかを知ることができ、入力操作キーの操作継続時間によって携帯通信機器の指示内容が変わる場合において誤操作が防止される。
【００２９】
第１０の発明では、前記制御手段は、前記入力操作キーの入力操作が開始されたときに第１発光状態に点灯させ、前記入力操作状態が前記所定時間よりも短い予備時間を継続したときに、第２発光状態に変化し、前記入力操作状態が前記所定時間継続したときに第３発光状態に変化させるように前記発光体を制御するように構成されている。
【００３０】
この構成によれば、ユーザーは入力操作キーを操作したことと、入力操作キーを操作してどれくらいの時間継続したかということを、発光体の状態の移り変わりによって視覚により知る。このことで、入力操作キーが確実に操作されていることが認識される。例えば、第１発光状態から第２発光状態への移行に基づいて、ユーザーは間もなく電源断処理が行われることを知る。つまり、第２発光状態への移行は電源断処理の予告となり、ユーザーはこれを契機として、必要に応じて入力操作キーの操作を解除し、電源断処理を中断させる。
【００３１】
第１１の発明では、前記入力操作キーは、終話処理を行いかつ、前記入力操作キーを操作した状態が前記所定時間継続すると電源断処理を行う終話キーである。
【００３２】
この構成によれば、終話キーは、該終話キーの操作されている時間によって終話処理と電源断処理の両方を行うことができる。このことで、ユーザーは、終話後そのまま終話キーを押し続けていると、発光状態の変化によって電源断処理に入ったことを知る。
【００３３】
第１２の発明では、前記第１発光状態から第２発光状態への移行時に電源断処理を中断可能に構成されている。
【００３４】
この構成によれば、第１発光状態から第２発光状態への移行に基づいて、ユーザーは間もなく電源断処理が行われることを知り、これを契機として、必要に応じて入力操作キーの操作を解除し、電源断処理を中断させる。
【００３５】
第１３の発明では、携帯通信機器は、携帯電話機とする。
【００３６】
この構成によれば、幅広いユーザーが携帯電話機を使用するときに、入力操作キーを操作したことを視覚的に認識しやすくなる。
【発明の効果】
【００３７】
以上説明したように、上記第１の発明によれば、ユーザーが入力操作キーを操作して発光体が発光することにより、ユーザーが視覚的に入力操作キーが操作されたことを確認するようにしている。このため、入力操作キーの押し忘れ防止につながり、携帯通信機器の操作性を向上させることができる。
【００３８】
上記第２の発明によれば、発光体を入力操作キーを操作するときの表示画面の向きと同じ側に向かって発光するように設置して、ユーザーが入力操作キーの操作中に発光体が発光したことを認識しやすいようにしている。このため、入力操作キーを操作したことを瞬時に確認でき、誤操作を未然に防ぐことができる。
【００３９】
上記第３の発明では、上側本体のヒンジ部側を凹形に形成し、携帯通信機器を折り畳んだ状態でも、上側本体の凹形部から膨出部の発光体を外部から見ることができるようにしている。このため、ユーザーが入力操作キーを操作したことを容易に視覚的に認識することができる。
【００４０】
上記第４の発明によれば、前記入力操作キーを前記上側本体又は下側本体の側面に設け、携帯通信機器を開くことなく操作キーを操作したことを知ることができるようにしている。このため、操作のたびに携帯通信機器を開き、操作が行われたかを確認する必要がないので、携帯通信機器の操作性をさらに向上させることができる。
【００４１】
上記第５の発明によれば、ユーザーは、入力操作キーを操作している状態がどれくらいの時間継続されているかを発光体の状態にて知ることができるようにしている。このため、入力操作キーを継続して操作することが必要な場合の誤操作を未然に防ぐことができるとともに、操作性を向上させることができる。
【００４２】
上記第６の発明では、発光体を発光色の変化により発光状態が変化するように構成し、第７の発明では、前記発光体を色の異なる単色の発光素子を組み合わせて構成し、第８の発明では、前記発光体を２つ以上の異なる色を発色可能な多色発光素子から構成している。これらの発明によれば、発光体の色の変化により、入力操作キーの操作の時間がどの程度時間継続したかを知ることができので、誤操作を防止することができる。
【００４３】
上記第９の発明によれば、発光体を点灯から点滅又は点滅間隔の変化により発光状態が変化するように構成している。このため、発光体の発行の間隔により、入力操作キーの操作の時間がどの程度時間継続したかを知ることができので、誤操作を防止することができる。
【００４４】
上記第１０の発明によれば、発光体の発光状態が段階的に変化することから、入力操作キーを操作してどれくらいの時間操作を継続したかということを視覚的に知ることができる。このことによって、入力操作キーを押していないといった誤操作や、入力操作キーを継続して操作することが必要な場合の誤操作を未然に防ぐことができる。また、第１発光状態から第２発光状態への移行を契機として入力操作キーの操作を解除し、電源断処理を中断させることも可能となる。
【００４５】
上記第１１の発明によれば、終話キーは、該終話キーを押している継続時間により、終話処理又は電源断処理を行うようにしている。このことで、ユーザーは、終話後そのまま終話キーを押し続けていると発光状態の変化によって電源断処理に入ったことを知ることができ、携帯通信機器における操作性を向上させることができる。
【００４６】
上記第１２の発明によれば、第１発光状態から第２発光状態への移行時に電源断処理を中断可能としている。このため、必要に応じて入力操作キーの操作を解除し、容易に電源断処理を中断させることができる。
【００４７】
上記第１３の発明によれば、携帯通信機器を携帯電話機としている。このため、ユーザーが入力操作キーを操作したことを視覚的に認識しやすい、商品価値の高い携帯電話機が得られる。
【発明を実施するための最良の形態】
【００４８】
以下、本発明の実施形態を図面に基づいて説明する。
【００４９】
−携帯電話機の外観構成−
図１は、本発明の実施形態に係る携帯通信機器としての携帯電話機１の外観構成を示している。この携帯電話機１は、折り畳み式に構成され、図１では開いた状態を示している。
【００５０】
前記携帯電話機１は、表示画面２が設けられている上側本体３と、通話キー４ａや終話キー４ｂといった複数の入力操作キー４が設けられている下側本体５と、上側本体３と下側本体５とを折り畳み開閉自在に連結するヒンジ部６とを備えている。
【００５１】
前記ヒンジ部６は、前記下側本体５の入力操作キー４を有する面から膨出するように形成された膨出部７と、上側本体３において凹形に形成された凹形部８とを備えている。凹形部８の凹部に膨出部７が嵌り込み、凹形部８と膨出部７とが、携帯電話機１の幅方向に延びる軸で回動可能に連結されている。また、膨出部７には発光体９が、入力操作キー４を操作するときの表示画面２の向きと同じ側（ユーザー側）に向かって発光するように設置してある。
【００５２】
図２は、図１に示す折り畳み式の携帯電話機１の閉じた状態を示している。
【００５３】
上側本体３は、ヒンジ部６側が凹形に形成されているので、携帯電話機１を折り畳んだ状態でも、上側本体３の凹形部８から膨出部７の発光体９が設置されている面を外部から見ることができる。すなわち、携帯電話機１が折り畳まれているか否かにかかわらず、ユーザーは発光体９を見ることができる。
【００５４】
−携帯電話機の電気的構成−
次に、図３を参照して、前記携帯電話機１の電気的構成を説明する。
【００５５】
この図に示すように、携帯電話機１は、入力操作キー４、表示画面２（ＬＣＤ：Liqid Crystal Display)、発光体９の他に、制御部１０、ＲＡＭ（Random Access Memory)１１、ＲＯＭ(Read Only Memory)１２、タイマー１３、電波回路１４、アンテナ１５及び表示駆動回路１６を備えている。
【００５６】
制御部１０には、入力操作キー４、ＲＡＭ１１、ＲＯＭ１２、タイマー１３、電波回路１４及び表示駆動回路１６がそれぞれ接続されている。また、電波回路１４にはアンテナ１５が、表示駆動回路１６には発光体９と表示画面２とがそれぞれ接続されている。
【００５７】
電波回路１４は、アンテナ１５を介して基地局又は他の通信機器との間でやりとりされる通信データの送受信処理を行う。
【００５８】
入力操作キー４は、そのキー操作に基づいて、入力された指示又は情報を制御部１０に伝える働きを持つ。
【００５９】
制御部１０は、入力操作キー４によって、指示又は情報の入力があったとき、必要に応じてタイマー１３を作動させる。さらに、読み出し専用装置であるＲＯＭ１２や記憶装置であるＲＡＭ１１により、タイマー１３が作動している時間と、あらかじめプログラムされている設定内容とに基づいて表示駆動回路１６を制御し、発光体９の発光状態及び表示画面２の作動及び表示内容の切替を行う。
【００６０】
−携帯電話機の制御動作−
次に、図４を参照して、入力操作キー４を操作したときの制御動作を説明する。
【００６１】
図４は、入力操作キー４を操作したときの携帯電話機１の制御部１０による制御動作の流れを示すフローチャートである。特に、このフローチャートは、通話中において終話キー４ｂを操作したときの動作状態を示している。
【００６２】
まず、通話している状態からスタート後のステップＳ２０で終話キー４ｂが操作されると、続くステップＳ２１でタイマー１３が作動し、前回のカウントがリセットされて新たなカウントが開始される。ステップＳ２２において発光体９を第１発光状態にして、ステップＳ２３において終話処理が実行される。
【００６３】
続くステップＳ２４では、終話キー４ｂがオン状態か否かが判定される。オン状態であるときは、ステップＳ２５に進んでタイマー１３の第１設定時間を消化したか否かが判定される。ステップＳ２５において、第１設定時間を消化しているときはステップＳ２６に進んで、発光体９を第２発光状態へ変化させる。
【００６４】
続くステップＳ２７においてタイマー１３の第２設定時間を消化したか否かが判定される。第２設定時間を消化しているときは、ステップＳ２８において発光体９を第３発光状態へ変化させ、ステップＳ２９において電源断処理が実行され、電源が切断されると同時にステップＳ３１において発光体９は消灯し、制御は終了する。
【００６５】
また、ステップＳ２４において、終話キー４ｂがオフ状態にあったときには、ステップＳ３１に進んで発光体９を消灯し、制御は終了する。
【００６６】
また、ステップＳ２５において、タイマー１３の第１設定時間を消化していなければステップＳ２４に戻る。
【００６７】
ここで、発光体９が第２発光状態である間に終話キー４ｂをオフ状態にすると、電源断処理に移行しないようにあらかじめプログラムしてあるので、ユーザーはこれを契機として必要に応じて終話キー４ｂの操作を解除し、電源断処理を中断させることができる。すなわち、ステップＳ２７においてタイマー１３の第２設定時間を消化していなければ、ステップＳ３０に進んで終話キー４ｂがオン状態か否かが判定される。オン状態であるときはステップＳ２７に戻り、オフ状態であるときは、ステップＳ３１において発光体９を消灯し、制御は終了する。
【００６８】
−具体例−
次に、この発明の実施形態を具体例をもとに説明する。
【００６９】
図５乃至図７は、通話状態から終話状態、さらに電源断の状態に至るまでのタイムチャートを表している。図５乃至図７では、発光体９の各発光状態を具体的に表しており、第１発光状態（青）、第２発光状態（黄）、第３発光状態（赤）としている。図５乃至図７の縦軸は、前に述べた各発光状態と、終話キー４ｂのオン、オフ状態と、携帯電話機１の状態、すなわち通話状態、終話状態又は電源断状態とをそれぞれ表しており、横軸は時間を表している。
【００７０】
−（終話処理のみを行う場合）−
まず、図５で示されている終話処理のみを行う場合について説明する。
【００７１】
図５における操作では、ユーザーは通話状態の携帯電話機１を終話状態にするために、終話キー４ｂを押す。すなわち終話キー４ｂをオン状態にする。終話キー４ｂを押すと同時に、終話処理が実行されて終話し、発光体９は第１発光状態である青色を点灯し、ユーザーに終話キー４ｂが操作されていることを知らせる。するとユーザーは視覚的に終話キー４ｂを操作したことと、終話処理が実行され終話したこととを認識し、終話キー４ｂの状態をオフ状態にするとともに発光体９は消灯する。
【００７２】
−（電源断処理を行う場合）−
次に、図６に示される、電源断処理を行う場合について説明する。
【００７３】
図６における操作では、ユーザーは携帯電話機１を電源断の状態にするため、終話キー４ｂを所定の時間押し続けることが必要になる。
【００７４】
まずはじめに、ユーザーは終話キー４ｂを操作する。それと同時に終話処理が実行されて終話し、発光体９は第１発光状態である青色を点灯し、ユーザーに終話キー４ｂが操作されたことを知らせる。このことで、ユーザーは終話キー４ｂが操作されていることを視覚的に認識するとともに、終話キー４ｂをオン状態に保持する。第１発光状態におけるタイマーの設定時間を消費すると、発光体９は第２発光状態である黄色に変化する。さらに、第２発光状態におけるタイマーの設定時間を消費していれば、発光体９は第３発光状態である赤色に変化し、ユーザーに電源を切断することを知らせて、電源断処理を実行するとともに発光体９を消灯する。
【００７５】
−（電源断処理を中断する場合）−
最後に、図７に示される、電源断処理を中断する場合について説明する。
【００７６】
発光体９が第２発光状態である黄色に変化するまでは、前述した電源断処理の場合と同じである。
【００７７】
発光体９が第２発光状態である黄色に変化すると、終話キー４ｂがオン状態か否かで次のステップが判定される。オン状態であれば、前述したように、第３発光状態である赤色に変化し、電源断処理を実行し、発光体９は消灯する。オフ状態であれば、発光体９が消灯するとともに、電源断処理が解除され、結果として終話処理のみが行われたことになる。
【００７８】
このように、入力操作キー４をオン状態に保持している時間によって発光体９の発光状態を変化させることで、ユーザーは、どのくらいの時間入力操作キー４を保持しているかを視覚的に認識しやすくなり、入力操作キー４の保持が必要である場合において、操作に必要な設定時間を消化できていないうちに入力操作キー４の操作を止めてしまうといった誤操作を未然に防ぐことができる。また、第２発光状態にあるときに、操作キー４をオフ状態にすると電源断処理を解除されるようにすることで、ユーザーは電源断処理を解除できる契機を視覚的に認識することができるため、誤操作の防止に有利になる。
【００７９】
発光体の色、点灯、点滅等といった発光状態と、発光状態が変化する段階とは前記に限られたものではない。
【００８０】
（その他の実施形態）
なお、本実施形態では、折り畳み式の携帯電話機１における終話キー４ｂを用いた終話処理と電源断処理とについて述べたが、本発明による携帯電話機１の入力操作はこれに限定されるものではない。本発明は、例えば、入力操作キー４を用いた、終話処理や電源断処理以外の処理についても応用が可能である。
【００８１】
本実施形態では、終話キーを操作した場合の実施例、すなわち折り畳み式の携帯電話機１を開いた状態で使用した場合についてを述べているが、携帯電話機１が図２のように閉じた状態でもユーザーが発光体を見ることができるようなものであれば、携帯電話機１の側面等に設けられた入力操作キーを操作した場合において、携帯電話機１を開くことなく操作キーを操作したことを知ることができる。このことで、携帯電話機１の側面等に設けられた入力操作キーを操作する場合において、操作のたびに携帯電話機１を開き、操作が行われたかを確認する必要がないので、携帯電話機１の操作性を向上させることができる。
【００８２】
本実施形態では、携帯通信機器として携帯電話機１の例を示したが、ＰＨＳ等の通話可能な携帯通信機器で本発明は適用可能である。
【００８３】
本実施形態では、表示画面２をＬＣＤで構成したが、有機ＥＬディスプレイによって構成してもよい。
【産業上の利用可能性】
【００８４】
以上説明したように、本発明は、終話キー等の入力操作キーを有する携帯電話機等の携帯通信機器について有用である。
【図面の簡単な説明】
【００８５】
【図１】本発明の実施形態に係る折り畳み式携帯電話機の外観構成図（開いた状態）である。
【図２】折り畳み式携帯電話機の外観構成図（閉じた状態）である。
【図３】携帯電話機の電気的構成図である。
【図４】携帯電話機の動作状態を表すフローチャートである。
【図５】終話処理における携帯電話機のタイムチャートである。
【図６】電源断処理における携帯電話機のタイムチャートである。
【図７】電源断処理解除における携帯電話機のタイムチャートである。
【符号の説明】
【００８６】
１    携帯電話機（携帯通信機器）
２    表示画面
４ｂ  終話キー（入力操作キー）
９    発光体
１０  制御部（制御手段）
【図１】
2007151005.tif 000003
【図２】
2007151005.tif 000004
【図３】
2007151005.tif 000005
【図４】
2007151005.tif 000006
【図５】
2007151005.tif 000007
【図６】
2007151005.tif 000008
【図７】
2007151005.tif 000009